(57)【特許請求の範囲】
【請求項１】
モバイル回線交換ネットワークとモバイルＩＭＳ（ＩＰ  Ｍｕｌｔｉｍｅｄｉａ  Ｓｕｂｓｙｓｔｅｍ）ネットワーク間に配置されるゲートウェイ装置であって、
前記モバイル回線交換ネットワーク側からの制御信号を変換して前記モバイルＩＭＳネットワークに出力する呼制御部と、
前記モバイルＩＭＳネットワーク側から出力され前記呼制御部で入力した制御情報を用いて、前記モバイルＩＭＳネットワークの先のネットワーク又は接続先の端末の種別を判別し、前記判別結果に基づき、前記モバイル回線交換ネットワーク側の通信端末からの音声の回線交換プロトコルをプロトコル変換して前記モバイルＩＭＳネットワークに出力する変換部と、
を備え、
前記呼制御部は、前記モバイル回線交換ネットワークから呼制御信号を入力し、前記呼制御信号を前記モバイルＩＭＳネットワーク側の制御信号に変換して前記モバイルＩＭＳネットワークに送出し、
前記モバイルＩＭＳネットワークから制御信号を入力し、前記モバイルＩＭＳネットワークの先に接続されるネットワークの種類又は接続先の相手端末の種類の情報を入力し、
前記モバイル回線交換ネットワークから入力した呼制御信号に含まれる情報と、前記モバイルＩＭＳネットワークから入力した制御信号に含まれる情報のうち、所要情報を、チャネル毎に出力し、
前記変換部は、制御・解析部と、プロトコル変換部と、パケット化部を備え、
前記制御・解析部は、前記呼制御部から入力したチャネル毎の情報を比較して、プロトコル変換が必要か否かを判別し、
前記判別結果と、プロトコル変換が必要な場合にどのような変換を行うかに関する変換情報とを、チャネル毎に出力し、
前記プロトコル変換部は、前記モバイル回線交換ネットワークからの回線交換プロトコル信号を入力して音声の圧縮符号化ビットストリームを読み出し、チャネル毎に、前記判別結果と前記変換情報を、前記制御・解析部から入力し、プロトコル変換が必要な場合には、前記音声の圧縮符号化ビットストリームに対して、前記変換情報に従って変換を施しペイロード情報を生成し、
前記パケット化部は、前記プロトコル変換部から前記ペイロード情報を入力しパケットに格納した上で前記モバイルＩＭＳネットワークに出力する、ことを特徴とするゲートウェイ装置。
【請求項２】
モバイル回線交換ネットワークとモバイルＩＭＳ（ＩＰ  Ｍｕｌｔｉｍｅｄｉａ  Ｓｕｂｓｙｓｔｅｍ）ネットワーク間に配置されるゲートウェイ装置であって、
前記モバイル回線交換ネットワーク側からの制御信号を変換して前記モバイルＩＭＳネットワークに出力する呼制御部と、
前記モバイルＩＭＳネットワーク側から出力され前記呼制御部で入力した制御情報を用いて、前記モバイルＩＭＳネットワークの先のネットワーク又は接続先の端末の種別を判別し、前記判別結果に基づき、前記モバイル回線交換ネットワーク側の通信端末からの音声の回線交換プロトコルをプロトコル変換して前記モバイルＩＭＳネットワークに出力する変換部と、
を備え、
前記変換部は、制御部と、プロトコル変換部と、パケット化部と、を備え、
前記呼制御部は、前記モバイル回線交換ネットワークから呼制御信号を入力し、前記呼制御信号を前記モバイルＩＭＳネットワーク側の制御信号に変換して前記モバイルＩＭＳネットワークに送出し、
前記モバイルＩＭＳネットワークから制御信号を入力し、前記モバイルＩＭＳネットワークの先に接続されるネットワークの種類又は接続先の相手端末の種類の情報を入力し、
前記モバイル回線交換ネットワークから入力した呼制御信号に含まれる情報と、前記モバイルＩＭＳネットワークから入力した制御信号に含まれる情報のうち所要情報をチャネル毎に出力し、
前記制御部は、前記呼制御部から入力した情報を解析し、各チャネルで常に一意のプロトコル変換をするように指示を出し、
前記プロトコル変換部は、前記制御部から、各チャネルで常に一意の変換をするように指示を受けると、前記モバイル回線交換ネットワークからの回線交換プロトコル信号を入力して音声の圧縮符号化ビットストリームを読み出し、所定のフォーマットヘッダを作成した上でペイロード部に前記音声の圧縮符号化ビットストリームを格納し、
前記パケット化部は、前記プロトコル変換部からペイロード情報を入力し、パケットに格納した上で前記モバイルＩＭＳネットワークに出力する、ことを特徴とするゲートウェイ装置。
【請求項３】
前記呼制御部が、前記モバイル回線交換ネットワークから出力される制御信号をＳＩＰ（Ｓｅｓｓｉｏｎ  Ｉｎｉｔｉａｔｉｏｎ  Ｐｒｏｔｏｃｏｌ）とＳＤＰ（Ｓｅｓｓｉｏｎ  Ｄｅｓｃｒｉｐｔｉｏｎ  Ｐｒｏｔｏｃｏｌ）の少なくとも一つに変換して前記モバイルＩＭＳネットワークに出力し、
前記変換部が、前記モバイル回線交換ネットワークから出力される音声に関する回線交換プロトコルを入力し、
前記モバイルＩＭＳネットワークから出力されるＳＩＰ又はＳＤＰの少なくとも一方を用いて、
相手端末が、
前記モバイルＩＭＳネットワークを介し前記モバイル回線交換ネットワークに接続されるか、
前記モバイルＩＭＳネットワークを介し固定網に接続されるか、あるいは、
前記モバイルＩＭＳネットワークを介しモバイルブロードバンドネットワークに接続されるか、
を判別し、
前記入力した回線交換プロトコルを、前記判別結果により異なるプロトコルに変換して前記モバイルＩＭＳネットワークに出力する、ことを特徴とする請求項１記載のゲートウェイ装置。
【請求項４】
前記呼制御部が、前記モバイル回線交換ネットワークから出力される制御信号をＳＩＰ（Ｓｅｓｓｉｏｎ  Ｉｎｉｔｉａｔｉｏｎ  Ｐｒｏｔｏｃｏｌ）とＳＤＰ（Ｓｅｓｓｉｏｎ  Ｄｅｓｃｒｉｐｔｉｏｎ  Ｐｒｏｔｏｃｏｌ）の少なくとも一つに変換して前記モバイルＩＭＳネットワークに出力し、
前記変換部が、前記モバイル回線交換ネットワークから出力される音声に関する回線交換プロトコルを入力し、
相手端末が前記モバイルＩＭＳネットワークを介し前記モバイル回線交換ネットワークに接続されるか、
前記モバイルＩＭＳネットワークを介し固定網に接続されるか、
前記モバイルＩＭＳネットワークを介しモバイルブロードバンドネットワークに接続されるか、
によらず、前記入力した回線交換プロトコルを同一のプロトコルに変換して、前記モバイルＩＭＳネットワークに出力する変換部を備える、ことを特徴とする請求項１記載のゲートウェイ装置。
【請求項５】
モバイル回線交換ネットワークとモバイルＩＭＳ（ＩＰ  Ｍｕｌｔｉｍｅｄｉａ  Ｓｕｂｓｙｓｔｅｍ）ネットワーク間に配置されるゲートウェイ装置が、
前記モバイル回線交換ネットワーク側からの制御信号を変換して前記モバイルＩＭＳネットワークに出力するとともに、前記モバイルＩＭＳネットワーク側からの制御情報を用いて前記モバイルＩＭＳネットワークの先のネットワーク又は接続先の端末の種別を判別し、
前記判別結果に基づき、前記モバイル回線交換ネットワーク側の通信端末からの音声の回線交換プロトコルを異なるプロトコルに変換して前記モバイルＩＭＳネットワークに出力し、
前記ゲートウェイ装置の呼制御部にて、前記モバイル回線交換ネットワークから呼制御信号を入力し、前記呼制御信号を前記モバイルＩＭＳネットワーク側の制御信号に変換して前記モバイルＩＭＳネットワークに送出し、
前記モバイルＩＭＳネットワークから制御信号を入力し、前記モバイルＩＭＳネットワークの先に接続されるネットワークの種類又は接続先の相手端末の種類の情報を入力し、
前記モバイル回線交換ネットワークから入力した呼制御信号に含まれる情報と、前記モバイルＩＭＳネットワークから入力した制御信号に含まれる情報のうち、所要情報を、チャネル毎に生成し、
前記ゲートウェイ装置の制御・解析部にて、前記呼制御部から入力したチャネル毎の情報を比較して、プロトコル変換が必要か否かを判別し、
前記判別結果と、プロトコル変換が必要な場合にどのような変換を行うかに関する変換情報とを、チャネル毎に出力し、
前記ゲートウェイ装置のプロトコル変換部にて、前記モバイル回線交換ネットワークからの回線交換プロトコル信号を入力して音声の圧縮符号化ビットストリームを読み出し、チャネル毎に、前記判別結果と前記変換情報を、前記制御・解析部から入力し、プロトコル変換が必要な場合には、前記音声の圧縮符号化ビットストリームに対して、前記変換情報に従って変換を施しペイロード情報を生成し、
前記ゲートウェイ装置は、前記ペイロード情報をパケットに格納した上で前記モバイルＩＭＳネットワークに出力する、ことを特徴とする、ゲートウェイ方法。
【請求項６】
モバイル回線交換ネットワークとモバイルＩＭＳ（ＩＰ  Ｍｕｌｔｉｍｅｄｉａ  Ｓｕｂｓｙｓｔｅｍ）ネットワーク間に配置されるゲートウェイ装置が、
前記モバイル回線交換ネットワーク側からの制御信号を変換して前記モバイルＩＭＳネットワークに出力するとともに、前記モバイルＩＭＳネットワーク側からの制御情報を用いて前記モバイルＩＭＳネットワークの先のネットワーク又は接続先の端末の種別を判別し、
前記判別結果に基づき、前記モバイル回線交換ネットワーク側の通信端末からの音声の回線交換プロトコルを異なるプロトコルに変換して前記モバイルＩＭＳネットワークに出力し、
前記ゲートウェイ装置の呼制御部にて、前記モバイル回線交換ネットワークから呼制御信号を入力し、前記呼制御信号を前記モバイルＩＭＳネットワーク側の制御信号に変換して前記モバイルＩＭＳネットワークに送出し、
前記モバイルＩＭＳネットワークから制御信号を入力し、前記モバイルＩＭＳネットワークの先に接続されるネットワークの種類又は接続先の相手端末の種類の情報を入力し、
前記モバイル回線交換ネットワークから入力した呼制御信号に含まれる情報と、前記モバイルＩＭＳネットワークから入力した制御信号に含まれる情報のうち所要情報をチャネル毎に出力し、
前記ゲートウェイ装置の制御部にて、前記呼制御部から入力した情報を解析し、各チャネルで常に一意のプロトコル変換をするように指示を出し、
前記ゲートウェイ装置のプロトコル変換部にて、前記制御部から、各チャネルで常に一意の変換をするように指示を受けると、前記モバイル回線交換ネットワークからの回線交換プロトコル信号を入力して音声の圧縮符号化ビットストリームを読み出し、所定のフォーマットヘッダを作成した上でペイロード部に前記音声の圧縮符号化ビットストリームを格納し、
前記ゲートウェイ装置のパケット化部にて、前記プロトコル変換部からペイロード情報を入力し、パケットに格納した上で前記モバイルＩＭＳネットワークに出力する、ことを特徴とするゲートウェイ方法。
【発明の詳細な説明】
【技術分野】
【０００１】
（関連出願についての記載）
本発明は、日本国特許出願：特願２００８−１８５００８号（２００８年７月１６日出願）の優先権主張に基づくものであり、同出願の全記載内容は引用をもって本書に組み込み記載されているものとする。
本発明は、ネットワーク間のゲートウェイに関し、特に、モバイル回線交換ネットワークとモバイルＩＭＳ（ＩＰマルチメディアサブシステム）ネットワーク間に接続されるゲートウェイ装置、方法、プログラムに関する。
【背景技術】
【０００２】
現在、第３世代のＷ−ＣＤＭＡ（Ｃｏｄｅ  Ｄｉｖｉｓｉｏｎ  Ｍｕｌｔｉｐｌｅ  Ａｃｃｅｓｓ）技術をもちいる携帯電話端末及びモバイルネットワークでは、音声電話は、モバイル回線交換ネットワーク及び回線交換のプロトコルを使用してサービスを実現している。【０００３】
一方、モバイルネットワークの高速・大容量技術の研究開発により、今後、モバイルネットワークはＩＰ（Ｉｎｔｅｒｎｅｔ  Ｐｒｏｔｏｃｏｌ）をベースにして、一層の高速化・大容量化を目指していく流れであり、モバイルブロードバンドネットワークとしてＬＴＥ（Ｌｏｎｇ  Ｔｅｒｍ  Ｅｖｏｌｕｔｉｏｎ）やＥＰＣ（Ｅｖｏｌｖｅｄ  Ｐａｃｋｅｔ  Ｃｏｒｅ）を導入していく流れである。将来的には、回線交換のネットワークを用いた既存の音声電話はこれらＩＰベースのネットワークを用いたＶｏＩＰ（Ｖｏｉｃｅ  ｏｖｅｒ  ＩＰ）に進化していくものと予想される。【０００４】
なお、ゲートウェイ装置として、例えば以下の特許文献が参照される。特許文献１には、移動通信網とＩＰ網間に接続され、サービス管理装置からの指示により適応的にゲートウェイの機能を変更でき、アプリケーションのサービス種別に応じてプロトコル変換できるゲートウェイ装置が開示されている。また特許文献２には、回線交換網とＩＰ網等間に接続されるゲートウェイ装置であって、回線交換網とＩＰ網側の端末間で画面サイズが一致しない場合にトランスコーダを起動してビットストリーム変換を行う構成が開示されている。さらに、特許文献３には、ＩＰ網と回線交換網間のゲートウェイ装置が、ＩＰ用テレビ電話端末と交換網用テレビ電話端末とが通話する呼要求に応じてＩＰ用テレビ電話端末に接続先が交換網用テレビ電話端末であることを示す接続先情報メッセージを送出する手段と、交換網用テレビ電話端末へ画像制御情報を送信する手段を備えた構成が開示されている。なお、いずれの特許文献に開示されたゲートウェイ装置も音声に関する回線交換プロトコルを変換して、モバイルＩＭＳネットワークに送出する構成は開示されていない。
【先行技術文献】
【特許文献】
【０００５】
【特許文献１】再公表特許ＷＯ２００３／１０７６１１
【特許文献２】特開２００６−１６５９３５号公報
【特許文献３】特開２００８−４２７６７号公報
【発明の概要】
【発明が解決しようとする課題】
【０００６】
以下に本発明による分析を与える。上記の進化の方向の過程にある過渡期においては、既存の回線交換ネットワークによる音声電話と、ＬＴＥやＥＰＣなど上でのＶｏＩＰとを、モバイルＩＭＳ（ＩＰ  Ｍｕｌｔｉｍｅｄｉａ  Ｓｕｂｓｙｓｔｅｍ）ネットワークを介して相互接続していく必要がある（ここで、ＩＭＳの詳細は３ＧＰＰ（３ｒｄ  Ｇｅｎｅｒａｔｉｏｎ  Ｐａｒｔｙ）のＴＳ２３．２２８規格を参照することができる）。【０００７】
しかしながら、現時点では、これらの相互接続を可能にするためのゲートウェイ装置が存在せず、相互接続は困難である。【０００８】
したがって、本発明の目的は、モバイル回線交換ネットワークに接続される通信端末と、モバイルＩＭＳネットワークを介した相手端末と相互接続を可能とし、音声電話を実現することができるゲートウェイ装置、方法、プログラムを提供することにある。
【課題を解決するための手段】
【０００９】
本願で開示される発明は、前記課題を解決するため、概略以下の構成とされる。【００１０】
本発明によれば、モバイル回線交換ネットワークとモバイルＩＭＳ（ＩＰ  Ｍｕｌｔｉｍｅｄｉａ  Ｓｕｂｓｙｓｔｅｍ）ネットワーク間に配置され、前記モバイル回線交換ネットワーク側からの制御信号を変換して前記モバイルＩＭＳネットワークに出力するとともに、前記モバイルＩＭＳネットワーク側からの制御情報を用いて、前記モバイルＩＭＳネットワークの先のネットワーク又は接続先の端末の種別を判別し、前記判別結果に基づき、前記モバイル回線交換ネットワーク側の通信端末からの音声の回線交換プロトコルをプロトコル変換して前記モバイルＩＭＳネットワークに出力するゲートウェイ装置（方法、プログラム）が提供される。【００１１】
本発明の１つの側面によれば、モバイル回線交換ネットワークとモバイルＩＭＳネットワークの間に配置するゲートウェイ装置であって、前記モバイル回線交換ネットワークから出力される制御信号をＳＩＰとＳＤＰの少なくとも一つに変換して前記モバイルＩＭＳネットワークに出力し、前記モバイル回線交換ネットワークから出力される音声に関する回線交換プロトコルを入力し、相手端末が前記モバイルＩＭＳネットワークを介し前記モバイル回線交換ネットワークに接続されるか、前記モバイルＩＭＳネットワークを介し固定網に接続されるか、前記モバイルＩＭＳネットワークを介しモバイルブロードバンドネットワークに接続されるかを、前記モバイルＩＭＳネットワークから出力されるＳＩＰまたはＳＤＰの少なくとも一方を用いて判別し、前記入力した回線交換プロトコルを前記判別結果により異なるプロトコルに変換して前記モバイルＩＭＳネットワークに出力するゲートウェイ装置（方法、プログラム）が提供される。【００１２】
また本発明の別の側面によれば、モバイル回線交換ネットワークとモバイルＩＭＳネットワークの間に配置するゲートウェイ装置であって、前記モバイル回線交換ネットワークから出力される制御信号をＳＩＰとＳＤＰの少なくとも一つに変換して前記モバイルＩＭＳネットワークに出力し、前記モバイル回線交換ネットワークから出力される音声に関する回線交換プロトコルを入力し、相手端末が前記モバイルＩＭＳネットワークを介した前記モバイル回線交換ネットワークに接続されるか、前記モバイルＩＭＳネットワークを介した固定網に接続されるか、前記モバイルＩＭＳネットワークを介しモバイルブロードバンドネットワークに接続されるかによらず、前記入力した回線交換プロトコルを同一のプロトコルに変換して前記モバイルＩＭＳネットワークに出力する変換部を備えたゲートウェイ装置（方法、プログラム）が提供される。
【発明の効果】
【００１３】
本発明によれば、モバイル回線交換ネットワークに接続される通信端末と、モバイルＩＭＳネットワークを介した相手端末と相互接続を可能とし、音声電話を実現することができる。
【図面の簡単な説明】
【００１４】
【図１】本発明の一実施例のシステム構成を示すブロック図である。
【図２】本発明のゲートウェイ装置の一実施例の構成を示すブロック図である。
【図３】本発明のゲートウェイ装置の他の実施例の構成を示すブロック図である。
【符号の説明】
【００１５】
１０２  モバイルＩＭＳネットワーク
１１０、２１０  ゲートウェイ装置
１２０  携帯端末
１３０  モバイル回線交換ネットワーク
１５０、２５０  呼制御部
１５１、２５１  変換部
１５２  制御・解析部
１５５、２６０  プロトコル変換部
１５６  パケット化部
２５５  制御部
【発明を実施するための形態】
【００１６】
本発明についてさらに詳細に説述すべく添付図面を参照して以下に説明する。本発明の１つの態様においては、モバイル回線交換ネットワークとモバイルＩＭＳ（ＩＰ  Ｍｕｌｔｉｍｅｄｉａ  Ｓｕｂｓｙｓｔｅｍ）ネットワーク間に配置されたゲートウェイ装置は、モバイル回線交換ネットワーク側からの呼制御信号を変換してモバイルＩＭＳネットワークに出力するとともに、モバイルＩＭＳネットワーク側からの制御情報を用いてモバイルＩＭＳネットワークの先のネットワーク又は接続先の端末の種別を判別し、前記判別結果に基づき、モバイル回線交換ネットワーク側の通信端末からの音声の回線交換プロトコルを異なるプロトコルに変換してモバイルＩＭＳネットワークに出力する。
【００１７】
本発明の一実施形態においては、前記モバイル回線交換ネットワークから出力される制御信号をＳＩＰとＳＤＰの少なくとも一つに変換して前記モバイルＩＭＳネットワークに出力し、前記モバイル回線交換ネットワークから出力される音声に関する回線交換プロトコルを入力し、相手端末が前記モバイルＩＭＳネットワークを介し前記モバイル回線交換ネットワークに接続されるか、前記モバイルＩＭＳネットワークを介し固定網に接続されるか、前記モバイルＩＭＳネットワークを介しモバイルブロードバンドネットワークに接続されるかを、前記モバイルＩＭＳネットワークから出力されるＳＩＰまたはＳＤＰの少なくとも一方を用いて判別し、前記入力した回線交換プロトコルを前記判別結果により異なるプロトコルに変換して前記モバイルＩＭＳネットワークに出力する。あるいは、別の実施形態においては、モバイル回線交換ネットワークから出力される制御信号をＳＩＰとＳＤＰの少なくとも一つに変換して前記モバイルＩＭＳネットワークに出力し、前記モバイル回線交換ネットワークから出力される音声に関する回線交換プロトコルを入力し、相手端末が前記モバイルＩＭＳネットワークを介した前記モバイル回線交換ネットワークに接続されるか、前記モバイルＩＭＳネットワークを介した固定網に接続されるか、前記モバイルＩＭＳネットワークを介しモバイルブロードバンドネットワークに接続されるかによらず、前記入力した回線交換プロトコルを同一のプロトコルに変換して前記モバイルＩＭＳネットワークに出力する。
【００１８】
本発明によれば、モバイル回線交換ネットワークに接続される既存の通信端末の相手端末として、モバイルＩＭＳネットワークを介し前記モバイル回線交換ネットワークに接続される端末であっても、前記モバイルＩＭＳネットワークを介し固定網に接続される端末であっても、前記モバイルＩＭＳネットワークを介しモバイルブロードバンドネットワークに接続される端末であっても、相互接続を可能にし、どの組み合わせでも、端末を改造することなく、音声電話を実現することができる。以下、実施例に即して説明する。
【実施例】
【００１９】
図１は、本発明の一実施例の構成を説明する図である。図１には、本発明の一実施例のゲートウェイ装置のネットワーク構成の一例が示されている。【００２０】
図１において、携帯端末１２０は、回線交換モバイルネットワークに接続される既存の音声電話端末である。携帯端末１２０は、モバイル回線交換ネットワーク１３０に接続され、例えば１２．２ｋｂｐｓ  ＡＭＲ（Ａｄａｐｔｉｖｅ  Ｍｕｌｔｉ−Ｒａｔｅ）音声コーデックで圧縮符号化されたビットストリームを送受信する。ここで、ＡＭＲ音声コーデックの仕様は、例えば３ＧＰＰ  ＴＳ２６．０９０規格を参照することができる。【００２１】
モバイル回線交換ネットワーク１３０では、ＮｏｄｅＢ（無線基地局：ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）におけるＢＴＳ（Ｂａｓｅ  Ｔｒａｎｓｃｅｉｖｅｒ  Ｓｔａｔｉｏｎ））、およびＲＮＣ（Ｒａｄｉｏ  Ｎｅｔｗｏｒｋ  Ｃｏｎｔｒｏｌｌｅｒ）において、ＡＭＲストリームをＩｕＵＰ（Ｉｕ  Ｕｓｅｒ  Ｐｌａｎｅ）回線交換プロトコルに変換し出力する。なお、Ｉｕ  ＵＰプロトコルは３ＧＰＰ  ＴＳ２５．４１５などを参照することができる。【００２２】
ゲートウェイ装置１１０はＲＮＣ（不図示）に接続され、モバイル回線交換ネットワーク１３０から、呼制御信号と、ユーザデータとして、回線交換プロトコルであるＩｕＵＰプロトコル信号とを入力する。ゲートウェイ装置１１０は、入力した呼制御信号を、ＳＩＰ（Ｓｅｓｓｉｏｎ  Ｉｎｉｔｉａｔｉｏｎ  Ｐｒｏｔｏｃｏｌ）信号またはＳＤＰ（Ｓｅｓｓｉｏｎ  Ｄｅｓｃｒｉｐｔｉｏｎ  Ｐｒｏｔｏｃｏｌ）信号の少なくとも一つに変換し、モバイルＩＭＳネットワーク１０２に送出する。【００２３】
また、ゲートウェイ装置１１０は、モバイルＩＭＳネットワーク１０２からＳＩＰ信号またはＳＤＰ信号の少なくとも一方を入力し、モバイルＩＭＳネットワーク１０２の先に接続されるネットワークの種類または接続相手先の端末の種類の情報を入力する。【００２４】
さらに、ゲートウェイ装置１１０は、モバイルＩＭＳネットワーク１０２に対してＲＴＰ（Ｒｅａｌｔｉｍｅ  Ｔｒａｎｓｐｏｒｔ  Ｐｒｏｔｏｃｏｌ）信号を出力する。【００２５】
図２は、図１のゲートウェイ装置１１０の構成を示すブロック図である。ゲートウェイ装置１１０は、呼制御部１５０と、変換部１５１を備えている。変換部１５１は、制御・解析部１５２と、プロトコル変換部１５５と、パケット化部１５６を備えている。【００２６】
呼制御部１５０は、モバイル回線交換ネットワーク１３０から呼制御信号を入力し、呼制御信号をＳＩＰ信号またはＳＤＰ信号の少なくとも一つに変換し、該ＳＩＰ信号またはＳＤＰ信号の少なくとも一つを、モバイルＩＭＳネットワーク１０２に送出する。【００２７】
呼制御部１５０は、モバイルＩＭＳネットワーク１０２からＳＩＰ信号またはＳＤＰ信号の少なくとも一方を入力し、モバイルＩＭＳネットワーク１０２の先に接続されるネットワークの種類または接続相手先の端末の種類の情報を入力する。【００２８】
呼制御部１５０は、モバイル回線交換ネットワーク１３０から入力した呼制御信号に含まれる情報と、モバイルＩＭＳネットワーク１０２から入力したＳＩＰまたはＳＤＰに含まれる情報のうち、必要な情報を、チャネル（回線）毎に、制御・解析部１５２に出力する。【００２９】
ここで、ＳＩＰやＳＤＰの詳細は、それぞれ、ＩＥＴＦ（Ｔｈｅ  Ｉｎｔｅｒｎｅｔ  Ｅｎｇｉｎｅｅｒｉｎｇ  Ｔａｓｋ  Ｆｏｒｃｅ）  ＲＦＣ（Ｒｅｑｕｅｓｔ  Ｆｏｒ  Ｃｏｍｍｅｎｔｓ）３２６１（Ｓｅｓｓｉｏｎ  Ｉｎｉｔｉａｔｉｏｎ  Ｐｒｏｔｏｃｏｌ）やＲＦＣ２３２７（Ｓｅｓｓｉｏｎ  Ｄｅｓｃｒｉｐｔｉｏｎ  Ｐｒｏｔｏｃｏｌ）などを参照することが出来る。【００３０】
制御・解析部１５２は、呼制御部１５０から入力したチャネルごとの情報を比較して、プロトコル変換が必要であるかどうかを判別し、判別結果と、プロトコル変換が必要な場合にどのような変換をするかに関する変換情報とを、チャネル毎に、プロトコル変換部１５５に出力する。【００３１】
プロトコル変換部１５５は、モバイル回線交換ネットワーク１３０からＩｕＵＰプロトコル信号を入力して、ＩｕＵＰプロトコル信号に格納されている音声の圧縮符号化ビットストリームを読み出す。【００３２】
プロトコル変換部１５５は、チャネル毎に判別結果と変換情報を制御・解析部１５２から入力し、プロトコル変換が必要な場合には、前記音声の圧縮符号化ビットストリームをＲＴＰのペイロードに格納するときに、変換情報に従い、例えば、チャネル毎に次のようにフォーマットを変換する。【００３３】
例えば、あるチャネルは、ＩＥＴＦのＲＦＣ３２６７（Real-Time Transport Protocol(RTP) Payload Format and File Storage Format for the Adaptive Multi-Rate(AMR) and Adaptive Multi-Rate WideBand (AMR-WB）Audio Codecs)で規定されるＲＴＰペイロードフォーマットヘッダを構築した上でペイロード部分に、前記音声の圧縮符号化ビットストリームを格納する。ここで、ＡＭＲ圧縮音声符号化ビットストリームに含まれるフレームタイプ情報は、ビットレートを表すので、ＲＦＣ３２６７のコーデック・モード・リクエスト（ＣＭＲ）情報に変換する（ＣＭＲ：音声エンコーダへのモード変更信号であり、例えばＣＭＲフィールド値はフレームタイプを示す）。【００３４】
プロトコル変換部１５５は、さらに、ＲＦＣ３２６７のオクテットアライン（オクテットアラインフォーマットではペイロードヘッダ、コンテンツエントリテーブル、音声フレームを含むすべてのペイロード・フィールドが個別にオクテットバウンダリに整列される）や他の必要なパラメータを予め定められた設定値に設定する。【００３５】
また、プロトコル変換部１５５は、あるチャネルは、ＲＴＰペイロードフォーマットヘッダなしでペイロード部分に、前記音声の圧縮符号化ビットストリームを直接格納する。【００３６】
パケット化部１５６は、ＲＴＰペイロード情報をプロトコル変換部１５５から入力し、ＲＴＰパケットに格納した上で出力する。【００３７】
上記第１の実施例において、音声の圧縮符号化ビットストリームの生成に使用する音声コーデックは、ＡＭＲ以外に、他の周知なコーデックを使用することができる。【００３８】
また、制御・解析部１５２を変換部１５１の中に配置したが、呼制御部１５０の中に配置することもできる。【００３９】
さらに、呼制御部１５０と変換部１５１は、各々別の装置に分離して配置させることもできる。なお、図２の上記第１の実施例において、呼制御部１５０、変換部１５１の制御・解析部１５２、プロトコル変換部１５５、パケット化部１５６の処理・機能は、ゲートウェイ装置１１０を構成するコンピュータ（プロセッサ、ＣＰＵ、データ処理装置）上で実行されるプログラムにより実現してもよいことは勿論である。【００４０】
図３は、本発明の第２の実施例の構成を示す図である。図３において、図２と同一の要素には同一の参照番号が付されている。同一参照番号の要素は、図２と同じ動作をするので説明は省略する。【００４１】
図３において、ゲートウェイ装置２１０は、呼制御部２５０と変換部２５１を備えている。変換部２５１は、制御部２５５と、プロトコル変換部２６０と、パケット化部１５６を備えている。【００４２】
呼制御部２５０は、モバイル回線交換ネットワーク１３０から、呼制御信号を入力し、前記呼制御信号をＳＩＰ信号またはＳＤＰ信号の少なくとも一つに変換し、モバイルＩＭＳネットワーク１０２に送出する。【００４３】
また、モバイルＩＭＳネットワーク１０２からＳＩＰ信号またはＳＤＰ信号の少なくとも一方を入力し、モバイルＩＭＳネットワーク１０２の先に接続されるネットワークの種類または接続相手先の端末の種類の情報を入力する。【００４４】
呼制御部２５０は、チャネル毎に、モバイル回線交換ネットワーク１３０から入力した呼制御信号に含まれる情報と、モバイルＩＭＳネットワーク１０２から入力したＳＩＰまたはＳＤＰに含まれる情報のうち、必要な情報を、チャネル（回線）毎に、制御部２５５に出力する。【００４５】
制御部２５５は、呼制御部２５０から入力した情報を解析するが、各チャネルで常に一意のプロトコル変換をするように、プロトコル変換部２６０に指示を出す。【００４６】
プロトコル変換部２６０は、制御部２５５から、各チャネルで、常に一意の変換をするよう指示を受ける。ここで、一意の変換とは、例えば、ＲＦＣ３２６７に基づく変換（フォーマット変換）とする。【００４７】
プロトコル変換部２６０は、ＩｕＵＰプロトコル信号を入力して、格納されているＡＭＲ音声の圧縮符号化ビットストリームを読み出し、例えば、ＲＦＣ３２６７で規定されるＲＴＰペイロードフォーマットヘッダを構築した上で、ペイロード部分に前記音声の圧縮符号化ビットストリームを格納する。【００４８】
ここで、ＡＭＲ圧縮音声符号化ビットストリームに含まれるフレームタイプ情報は、ビットレートを表すので、プロトコル変換部２６０は、ＲＦＣ３２６７のコーデック・モード・リクエスト（ＣＭＲ）情報に変換する。さらに、プロトコル変換部２６０は、ＲＦＣ３２６７のオクテットアラインや他の必要なパラメータを予め定められた設定値に設定する。【００４９】
本発明の第２の実施例において、音声の圧縮符号化ビットストリームの生成に使用する音声コーデックは、前記したＡＭＲ以外に、他の周知なコーデックを使用することができる。また、制御部２５５を変換部２５１の中に配置したが、呼制御部２５０の中に配置することもできる。【００５０】
さらに、呼制御部２５０と変換部２５１は、おのおの別の装置に分離して配置させることもできる。図３の上記第２の実施例において、呼制御部２５０、変換部２５１の制御部２５５、プロトコル変換部２６０、パケット化部１５６の処理・機能は、ゲートウェイ装置２１０を構成するコンピュータ（プロセッサ、ＣＰＵ、データ処理装置）上で実行されるプログラムにより実現してもよいことは勿論である。【００５１】
上記した実施例によれば、モバイル回線交換ネットワークに接続される既存の携帯端末と、相手端末としてモバイルＩＭＳネットワークを介した前記モバイル回線交換ネットワークに接続される端末であっても、前記モバイルＩＭＳネットワークを介した固定網に接続される端末であっても、前記モバイルＩＭＳネットワークを介しモバイルブロードバンドネットワークに接続される端末であっても、相互接続を可能にし、どの組み合わせでも、端末を改造することなく、音声電話を実現することができるゲートウェイ装置を提供することができる。【００５２】
なお、上記の特許文献の各開示を、本書に引用をもって繰り込むものとする。本発明の全開示（請求の範囲を含む）の枠内において、さらにその基本的技術思想に基づいて、実施例ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図１】
0005500069.tif 000002
【図２】
0005500069.tif 000003
【図３】
0005500069.tif 000004